(57)【要約】【課題】走行中でも安全性を確保しつつ操作性の良好なカーナビゲーション装置を提供する。【解決手段】各種操作項目を表示する表示手段６と、該表示された操作項目の選択動作を行う操作手段２と、選択された項目の内容を音声にて出力する音声出力手段７と、車両の停止状態や走行状態を検出する車両走行状態検出手段３と、該車両走行状態検出手段３にて車両の走行状態が検出された場合に、前記表示手段から操作項目の項目内容を消去し、項目枠のみを表示させるとともに、前記項目内容を音声にて出力させる出力変更手段９を備えた。【選択図】    図１
2004150935.tif 000002
【特許請求の範囲】
【請求項１】
各種操作項目を表示する表示手段と、
該表示された操作項目の選択動作を行う項目選択手段と、
選択された項目内容を音声にて出力する音声出力手段と、
車両の停止状態や走行状態を検出する車両走行状態検出手段と、
音声出力対象となる操作項目を規則に基づいて前記表示手段に表示させる制御手段と、
該車両走行状態検出手段にて車両の走行状態が検出された場合に、前記音声出力対象となる操作項目の項目内容を前記表示手段から消去するとともに、前記項目内容を音声にて出力させる出力変更手段を備えたことを特徴とするカーナビゲーション装置。
【発明の詳細な説明】
【０００１】
【発明の属する技術分野】
本発明は、音声出力可能なカーナビゲーション装置に関するものである。
【０００２】
【従来の技術】
従来、例えば特許文献１や特許文献２には、軸線方向に変位可能かつ軸線周りに回転可能とされた操作部材を備え、この操作部材による入力操作に応じて、この操作部材による入力操作に応じて、表示装置の画面上にて各種処理項目を選択することにより、車載機器等を操作する操作装置が開示されている。
また、本出願人は、特願２００２−７６２６２号公報において、表示装置の画面を視認する作業を軽減するための操作装置を提案している。
【０００３】
【特許文献１】
特許第２８４０３３２号公報
【特許文献２】
特開２００１−５２４７０８号公報
【０００４】
【発明が解決しようとする課題】
しかしながら、従来の技術においては、選択中の項目について音声出力が行われるために表示画面を見ずに前記項目を特定できる点で好ましいが、選択中の項目から操作者の要求する項目（要求項目）に選択対象を変える際に以下の点について要望されている。
【０００５】
すなわち、選択中の項目について音声出力がされても、操作者はそれのみでは選択中の項目と前記要求項目との位置関係を把握できず、前記要求項目を選択するように操作部材を操作することが困難であるという問題があった。操作者は、表示画面の視認作業により、要求項目の項目内容が表示された文字を判別する必要があり、視認作業の負担を低減することが要望されている。特に、車両走行中においては、安全性を高める等のため、表示画面の視認作業の負担を低減することが望まれる。
【０００６】
本発明は、このような事情に鑑みてなされたもので、車両走行中における表示画面の視認作業の負担を低減し、安全性を確保しつつ操作性を高めることができるカーナビゲーション装置を提供することを目的とする。
【０００７】
【課題を解決するための手段】
上記課題を解決するために、請求項１に記載の発明は、各種操作項目を表示する表示手段（例えば、実施の形態における表示手段６）と、該表示された操作項目の選択動作を行う項目選択手段（例えば、実施の形態における操作手段２）と、選択された項目内容を音声にて出力する音声出力手段（例えば、実施の形態における音声出力手段７）と、車両の停止状態や走行状態を検出する車両走行状態検出手段（例えば、実施の形態における車両走行状態検出手段３）と、音声出力対象となる操作項目を規則に基づいて前記表示手段に表示させる制御手段（例えば、実施の形態における制御手段８）と、該車両走行状態検出手段にて車両の走行状態が検出された場合に、音声出力対象となる操作項目の項目内容を前記表示手段から消去するとともに、前記項目内容を音声にて出力させる出力変更手段（例えば、実施の形態における出力変更手段９）を備えたことを特徴とする。
【０００８】
この発明によれば、前記車両走行状態検出手段にて車両の走行状態が検出されると、前記表示手段において音声出力対象となる操作項目からその項目内容が消去されるため、操作者（この場合は車両の搭乗者）は表示手段を視認する際に、文字を判別する必要がない。また、前記音声出力対象となる操作項目が規則に基づいて表示（例えば、アルファベット順、五十音順、カテゴリ順等）されているため、操作者は表示手段を瞬間的に視認すれば、音声出力された操作項目（選択中の項目）と、前記要求項目との位置関係を容易に把握できる。したがって、操作者は、選択中の項目から前記要求項目を選択対象を変えるための操作手順を容易に認識でき、目視をしなくても操作手段を操作することが可能となる。よって、車両走行中における表示画面の視認作業の負担を低減し、安全性を確保しつつ操作性を高めることができる。
【０００９】
【発明の実施の形態】
以下、本発明の実施の形態におけるカーナビゲーション装置を図面と共に説明する。図１は本発明の実施の形態におけるカーナビゲーション装置１（ナビゲーション装置１）を示す概略構成図である。
前記ナビゲーション装置１は、操作手段２と、車両走行状態検出手段３と、表示データ記憶手段４と、音声データ記憶手段５と、表示手段６と、音声出力手段７と、制御手段８と、出力変更手段９を備えている。
【００１０】
前記操作手段２は、操作者により把持可能なノブを有し、操作者（この場合は車両の搭乗者）からの入力操作によって、前後方向２Ａ、２Ｂ（図４参照）に変位可能に形成されている。操作者は、操作手段２を前後方向に操作することで、後述するように選択対象の操作項目の切換を行うことが可能である。また、操作手段２を同様に操作することで（例えば、操作手段２を前後に連続して変位させる等の操作を行うことで）、音声出力を作動または停止させることも可能である。
また、詳細を後述するが、前記操作手段２の操作により、選択項目の切換速度を調整することも可能である。この操作は、例えば所定時間以上継続して前後方向に変位を継続させることにより行うことができ、操作者が目視することなく、切換速度の調整を行えるように設定される。
【００１１】
車両走行状態検出手段３は車両速度センサを備えており、該センサにより車両の速度を検出して、その出力値を制御手段８に送信する。
前記表示データ記憶手段４は、各種操作項目６Ａ〜６Ｅやそれに対応する項目内容のデータを記憶している。また、音声データ記憶手段５は前記記憶手段４に記憶されたデータに対応する音声識別語彙のデータを記憶している。
前記表示手段６は表示画面１６を備え、該表示画面１６上に操作項目を表示する。また、前記表示画面１６上に操作項目の項目枠のみを表示したり、項目枠内に項目内容を表示させたり、選択対象となる操作項目の表示状態を変えることも可能である。
前記音声出力手段７はスピーカを備え、該スピーカから音声出力する。
【００１２】
前記制御手段８は、上述した手段２〜７にそれぞれ接続されている。制御手段８は、操作項目６Ａ〜６Ｅのデータを前記表示データ記憶手段４から読み出して、表示手段６の表示画面１６に操作項目６Ａ〜６Ｅを表示させる。また、音声出力を行う場合には、前記操作項目６Ａ〜６Ｅのデータに対応する音声識別語彙のデータを前記音声データ記憶手段５から読み出して、音声出力手段７のスピーカから音声出力する。本実施の形態においては、全ての操作項目６Ａ〜６Ｅが音声出力の対象となっている。
【００１３】
また、制御手段８は、前記車両走行状態検出手段３から送信された出力値に応じて、車両の走行状態の有無を判定する。この判定は、例えば、予め設定された基準値と前記出力値とを比較して、出力値が基準値以上の場合は走行状態、基準値未満の場合は停止状態とすることで行うことができる。
また、前記制御手段８は出力変更手段９を備え、該出力変更手段９により前記判定結果に応じた制御を、前記表示手段６および前記音声出力手段７に対して行う。これについて、図２、図３を用いて説明する。
【００１４】
図２は表示手段６で表示する画面の一例を示す説明図である。同図には、前記制御手段８により車両が停止状態と判定された場合の表示画面１６が示されている。この場合には、表示画面１６には操作項目６Ａ〜６Ｅが表示され、各操作項目６Ａ〜６Ｅの表示枠内には、それぞれの項目内容が表示されている。また、制御手段８は、選択中の操作項目（この場合は６Ｅ）を、他の操作項目６Ａ〜６Ｄと区別するように表示画面１６に表示させる。この項目の区別は、例えば、選択項目の色を変えることにより行ってもよいし、点滅させることにより行ってもよいし、大きさを変えることにより行ってもよい。
【００１５】
また、表示画面１６上の各操作項目６Ａ〜６Ｅは、規則に基づいて表示されている（この場合はカテゴリ順）。これにより、操作者は、各操作項目６Ａ〜６Ｅの関連性の把握が可能となり、目視を行わなくても、操作者の要求する操作項目（要求項目）の位置を推定することが可能となる。
操作者は、操作手段２を前後方向に操作することで、選択中の操作項目６Ｅを切り換えて、選択対象を要求項目（例えば６Ａ）に切り換えることができる。
また、車両の停止状態において、操作者は、操作手段２を操作することにより音声出力の可否を任意に選択でき、音声出力を選択した場合には、選択中の操作項目の項目内容が音声出力手段７から音声出力される。
【００１６】
図３は表示手段６で表示する画面１６の一例を示す説明図である。同図には、前記制御手段８により車両が走行状態と判定された場合の表示画面１６が示されている。前記走行状態と判定されると、出力変更手段９により、表示画面１６を図２の状態から図３の状態に切換を行う。すなわち、車両の走行状態と判定された場合には、各操作項目６Ａ〜６Ｅから項目内容が消去されて、項目枠のみが表示される。また、前記出力変更手段９により音声出力手段７が強制的に作動状態となり、選択中の操作項目６Ｄの項目内容（この場合は「ユウエンチ」）が音声出力される。
【００１７】
このように、車両の走行状態においては、項目内容が表示画面１６上から消去されるため、操作者は表示画面１６を視認する際に、文字を判別する必要がない。また、前記音声出力対象となる操作項目６Ａ〜６Ｅが規則に基づいて表示されているため、操作者は表示画面１６を瞬間的に視認すれば、音声出力された操作項目６Ｄと、前記要求項目（例えば、操作項目６Ａ）との位置関係を容易に把握できる。
【００１８】
したがって、操作者は、選択中の操作項目６Ｄから前記要求項目６Ａを選択対象を変えるための操作手順を容易に認識でき（この場合は操作手段２を３回前方向に変位させる）、目視をしなくても操作手段２を操作することが可能となる。また、操作手段２の操作により、選択対象の操作項目が切り換わった場合には（例えば操作項目６Ｄから操作項目６Ｃに切り換わった場合には）、切り換えられた操作項目６Ｃの項目内容が前記音声出力手段７により音声出力されるため、操作者は音声のみを頼りに操作を行うことも可能である。よって、車両走行中における表示画面１６の視認作業の負担を低減し、安全性を確保しつつ操作性を高めることができる。
【００１９】
また、操作項目の数が多く、全ての操作項目を表示手段６の表示画面１６に表示することが困難な場合には、制御手段８は表示画面１６に操作項目を図４に示すように表示させる。図４は、操作項目の数が多い場合における走行状態での表示画面の説明図であり、図３に相当する図である。同図に示したように、表示画面１６には、操作項目６Ａ〜６Ｅの項目枠とともに、スクロールバー１０やそスライダ１１を併せて表示させ、全体の操作項目の数や、選択中の操作項目（この場合は６Ｄ）の全体における位置を瞬間的な目視で判定できるようにしている。
【００２０】
すなわち、全体の操作項目の数は、スクロールバー１０の長さやスライダ１１の移動量により表し、選択中の操作項目６Ｄの全体に対する位置は、スクロールバー１０の内部に表示されるスライダ１１の位置によって表わす。また、スライダ１１の大きさを変えることで、表示画面１６に表示されている操作項目６Ａ〜６Ｅの全体に占める割合を表わすようにしてもよい。操作者は、このスライダ１１を操作手段２を介して操作することで、画面１６上に表示させる操作項目６Ａ〜６Ｅを変更することができる。
【００２１】
また、操作者は、前記選択中の操作項目の位置が要求項目の位置と離れていると判断した場合には、操作手段２の操作速度を意図的に早めることも可能となる。これにより、操作項目の数が多い場合であっても、迅速な操作を行うことができる。
なお、実施の形態においては、走行状態で表示画面１６上に表示枠のみを表示させるようにしたが、これに限らず、表示項目を他の図形デザインに変更して表示してもよい。また、走行状態においては、音声出力手段７を強制的に作動させる設定としたが、さらに操作者の設定により音声出力手段７を停止させるようにしてもよい。
【００２２】
【発明の効果】
以上説明したように、請求項１に係る発明によれば、操作者（車両の搭乗者）は表示手段を視認する際に、文字を判別する必要がなく、表示手段を瞬間的に視認すれば、音声出力された操作項目（選択中の項目）と、前記要求項目との位置関係を容易に把握できるため、選択中の項目から前記要求項目を選択対象を変えるための操作手順を容易に認識でき、目視をしなくても操作手段を操作することが可能となり、必要に応じて操作手段の操作速度を意図的に早くすることも可能となる。よって、車両走行中における表示画面の視認作業の負担を低減し、安全性を確保しつつ操作性を高めることができる。
【図面の簡単な説明】
【図１】図１は本発明の実施の形態におけるカーナビゲーション装置を示す概略構成図である。
【図２】図１に示す表示手段における表示画面の一例を示す図である。
【図３】図１に示す表示手段における表示画面の一例を示す図である。
【図４】図１に示す表示手段における表示画面の一例を示す図である。
【符号の説明】
１  カーナビゲーション装置
２  操作手段
３  車両走行状態検出手段
６  表示手段
７  音声出力手段
８  制御手段
９  出力変更手段
【図１】
2004150935.tif 000003
【図２】
2004150935.tif 000004
【図３】
2004150935.tif 000005
【図４】
2004150935.tif 000006